(57)【特許請求の範囲】
【請求項１】
被写体を撮影する撮影部と、
前記撮影部に前記被写体を撮影させ、撮影された前記被写体の静止画を取得して記憶部に記憶させる本撮影を行う撮影制御部と、
前記被写体の瞳孔の収縮を開始させる第１の光と、前記本撮影を行うための第２の光と、前記被写体を照らす第３の光とを発光する発光部と、を備え、
前記撮影制御部は、
前記本撮影の前であって前記被写体が前記第３の光によって照らされたときに、前記撮影部から前記静止画を取得して、取得した前記静止画における前記被写体の顔の領域を検出し、
前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間を調整する、
ことを特徴とする撮影機能を有する機器。
【請求項２】
被写体を撮影する撮影部と、
前記撮影部に前記被写体を撮影させ、撮影された前記被写体の静止画を取得して記憶部に記憶させる本撮影を行う撮影制御部と、
前記被写体の瞳孔の収縮を開始させる第１の光と、前記本撮影を行うための第２の光と、前記被写体を照らす第３の光とを発光する発光部と、を備え、
前記撮影制御部は、
前記本撮影の前であって前記被写体が前記第３の光によって照らされたときに、前記撮影部から前記静止画を取得して、取得した前記静止画における前記被写体の顔の領域を検出し、
前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光量を調整する、
ことを特徴とする撮影機能を有する機器。
【請求項３】
請求項１または２に記載の撮影機能を有する機器において、
前記撮影制御部は、
前記明るさ情報に基づいて、前記第１の光により前記被写体の瞳孔が最も収縮するのに要すると推定される収縮時間を取得し、
前記発光部に前記第１の光を発光させてから前記収縮時間が経過したときに、前記発光部に前記第２の光を発光させて前記本撮影を行う、
ことを特徴とする撮影機能を有する機器。
【請求項４】
請求項１ないし３の何れか一項に記載の撮影機能を有する機器において、
前記明るさ情報は、前記被写体の目の領域の明るさである、
ことを特徴とする撮影機能を有する機器。
【請求項５】
請求項１ないし４の何れか一項に記載の撮影機能を有する機器において、
前記撮影制御部は、
前記顔の領域を検出できなかった場合、前記発光部に前記第１の光を発光させない、
ことを特徴とする撮影機能を有する機器。
【請求項６】
請求項１に記載の撮影機能を有する機器において、
前記撮影制御部は、前記第３の光により前記被写体が照らされたときの前記明るさ情報に基づいて、前記第１の光の発光量を調整する、
ことを特徴とする撮影機能を有する機器。
【請求項７】
請求項６に記載の撮影機能を有する機器において、
前記撮影制御部は、
前記明るさ情報に基づいて推定される前記第３の光の反射光に基づく前記被写体までの距離に応じて、前記第１の光の発光量を調整する、
ことを特徴とする撮影機能を有する機器。
【請求項８】
請求項７に記載の撮影機能を有する機器において、
前記撮影制御部は、
前記被写体までの距離が大きくなるほど前記第１の光の発光量を増加させ、前記被写体までの距離が小さくなるほど前記第１の光の発光量を減少させる、
ことを特徴とする撮影機能を有する機器。
【請求項９】
請求項７または８に記載の撮影機能を有する機器において、
前記撮影制御部は、
前記明るさ情報に基づいて、調整された前記発光量での前記第１の光により前記被写体の瞳孔が最も収縮するのに要すると推定される収縮時間を取得し、
前記発光部に前記第１の光を発光させてから前記収縮時間が経過したときに、前記発光部に前記第２の光を発光させて前記本撮影を行う、
ことを特徴とする撮影機能を有する機器。
【請求項１０】
請求項３または９に記載の撮影機能を有する機器において、
前記撮影制御部は、
前記明るさ情報に基づいて、前記被写体が前記第３の光によって照らされたときに前記被写体の目に入射する光量を推定し、
当該光量に基づいて、前記収縮時間を取得する、
ことを特徴とする撮影機能を有する機器。
【請求項１１】
撮影部に被写体を撮影させ、撮影された前記被写体の静止画を取得して記憶部に記憶させる本撮影を行うとともに、前記本撮影に際して前記被写体の瞳孔の収縮を開始させる第１の光と、前記本撮影を行うための第２の光とを順次発光させる撮影制御方法であって、
前記第１の光を発光させる前に前記被写体を照らす第３の光を発光させるステップと、
前記本撮影の前であって前記被写体が前記第３の光によって照らされたときに、前記撮影部から前記静止画を取得して、取得した前記静止画における前記被写体の顔の領域を検出するステップと、
前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間または前記第１の光の発光量を調整するステップと、を含む、
ことを特徴とする撮影制御方法。
【請求項１２】
被写体を撮影する撮影部と、前記被写体の瞳孔の収縮を開始させる第１の光と、本撮影を行うための第２の光と、前記被写体を照らす第３の光とを発光する発光部と、を備える撮影機能を有する機器のコンピュータに、
前記撮影部に前記被写体を撮影させ、撮影された前記被写体の静止画を取得して記憶部に記憶させる本撮影を行う機能と、
前記本撮影の前であって前記被写体が前記第３の光によって照らされたときに、前記撮影部から前記静止画を取得して、取得した前記静止画における前記被写体の顔の領域を検出する機能と、
前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間または前記第１の光の発光量を調整する機能と、を付与する、
ことを特徴とするプログラム。
【発明の詳細な説明】
【技術分野】
【０００１】
本発明は、カメラ付き携帯電話機、カメラ付きＰＤＡ（Personal DigitalAssistant）、カメラ付きタブレットＰＣ（Tablet PC）、デジタルカメラ、デジタルビデオカメラ等の撮影機能を有する機器に関する。また、本発明は、かかる撮影機能を有する機器に適用できる、撮影制御方法およびプログラムに関する。
【背景技術】
【０００２】
近年、カメラが搭載された携帯電話機が、広く普及している。かかるカメラ付き携帯電話機等のカメラ機器において、フラッシュを発光させて撮影するよりも前に、フラッシュを発光させて被写体の瞳孔を収縮させることにより、人物の目が赤く光って撮影される現象（以下、「赤目現象」と称する）を抑える方法が知られている（特許文献１参照）。
【先行技術文献】
【特許文献】
【０００３】
【特許文献１】特開２００８−２２６１９４号公報
【発明の概要】
【発明が解決しようとする課題】
【０００４】
上記カメラ機器では、撮影前のフラッシュ後、一定の撮影タイミングで被写体が撮影された場合、撮影タイミングが、瞳孔が収縮するタイミングに一致しないことがある。たとえば、瞳孔の開き具合は、撮影環境の明るさに応じて変化し得る。想定よりも撮影環境が暗く被写体の瞳孔が大きく開いていると、瞳孔が収縮しきる前に撮影が開始されてしまうことが起こり得る。このような場合、赤目現象の発生が抑えられない惧れがある。
【０００５】
そこで、本発明は、赤目現象の発生を効果的に抑制することができる、撮影機能を有する機器を提供することを目的とする。
【課題を解決するための手段】
【０００６】
本発明の第１の態様は、撮影機能を有する機器に関する。本態様に係る撮影機能を有する機器は、被写体を撮影する撮影部と、前記撮影部に前記被写体を撮影させ、撮影された前記被写体の静止画を取得して記憶部に記憶させる本撮影を行う撮影制御部と、前記被写体の瞳孔の収縮を開始させる第１の光と、前記本撮影を行うための第２の光を発光する発光部と、を備える。前記撮影制御部は、前記本撮影の前に前記撮影部から前記静止画を取得して、取得した前記静止画における前記被写体の顔の領域を検出し、前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間または前記第１の光の発光量を調整する。
【０００７】
本態様に係る撮影機能を有する機器において、前記撮影制御部は、前記明るさ情報に基づいて、前記第１の光により前記被写体の瞳孔が最も収縮するのに要すると推定される収縮時間を取得し、前記発光部に前記第１の光を発光させてから前記収縮時間が経過したときに、前記発光部に前記第２の光を発光させて前記本撮影を行う構成とされ得る。
【０００８】
本態様に係る撮影機能を有する機器において、前記明るさ情報は、前記被写体の目の領域の明るさである構成とされ得る。
【０００９】
本態様に係る撮影機能を有する機器において、前記撮影制御部は、前記顔の領域を検出できなかった場合、前記発光部に前記第１の光を発光させない構成とされ得る。
【００１０】
本態様に係る撮影機能を有する機器において、前記発光部は、前記被写体を照らす第３の光を発光する構成とされ得る。
【００１１】
上記の構成とされた場合、さらに、前記撮影制御部は、前記第３の光の反射光に基づく前記被写体までの距離に応じて、前記第１の光の発光量が調整される構成とされ得る。
【００１２】
本態様に係る撮影機能を有する機器において、前記発光部は、前記被写体を照らす第３の光を発光し、前記撮影制御部は、前記第３の光により前記被写体が照らされたときの前記明るさ情報に基づいて、前記第１の光の発光量を調整する構成とされ得る。
【００１３】
本発明の第２の態様は、撮影部に被写体を撮影させ、撮影された前記被写体の静止画を取得して記憶部に記憶させる本撮影を行うとともに、前記本撮影に際して前記被写体の瞳孔の収縮を開始させる第１の光と、前記本撮影を行うための第２の光とを順次発光させる撮影制御方法に関する。本態様に係る撮影制御方法は、前記本撮影の前に前記撮影部から前記静止画を取得して、取得した前記静止画における前記被写体の顔の領域を検出するステップと、前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間または前記第１の光の発光量を調整するステップと、を含む。
【００１４】
本発明の第３の態様は、被写体を撮影する撮影部と、前記被写体の瞳孔の収縮を開始させる第１の光と、前記本撮影を行うための第２の光を発光する発光部と、を備える撮影機能を有する機器のコンピュータに適用されるプログラムに関する。本態様に係るプログラムは、前記撮影部に前記被写体を撮影させ、撮影された前記被写体の静止画を取得して記憶部に記憶させる本撮影を行う機能と、前記本撮影の前に前記撮影部から前記静止画を取得して、取得した前記静止画における前記被写体の顔の領域を検出する機能と、前記顔の領域に含まれる明るさ情報に基づいて、前記第１の光の発光により前記被写体の瞳孔が最も収縮するタイミングに前記第２の光を発光させて前記本撮影を行うタイミングが近づくように、前記第１の光の発光から前記本撮影までの時間または前記第１の光の発光量を調整する機能と、を付与する。
【発明の効果】
【００１５】
本発明の一態様によれば、赤目現象の発生を効果的に抑制することができる、撮影機能を有する機器を提供することができる。
【００１６】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係る、携帯電話機の構成を示す図である。
【図２】実施の形態に係る、携帯電話機の全体構成を示すブロック図である。
【図３】実施の形態に係る、ホーム画面が表示されたディスプレイを示す図である。
【図４】比較例に係る、発光部の発光状況と撮影対象の人物の状況を示す模式図である。
【図５】実施の形態に係る、赤目現象防止撮影機能の制御処理を示すフローチャートである。
【図６】実施の形態に係る、発光部の発光状況と撮影対象の人物の状況を示す模式図である。
【図７】実施の形態に係る、顔認証時に撮影される静止画データを示す模式図である。
【図８】変更例１に係る、携帯電話機の全体構成を示すブロック図である。
【図９】変更例１に係る、赤目現象防止撮影機能の制御処理を示すフローチャートである。
【図１０】変更例１に係る、発光部の発光状況と撮影対象の人物の状況を示す模式図である。
【図１１】変更例２に係る、赤目現象防止撮影機能の制御処理を示すフローチャートである。
【図１２】変更例３に係る、赤目現象防止撮影機能の制御処理を示すフローチャートである。
【発明を実施するための形態】
【００１８】
以下、本発明の実施の形態について、図面を参照して説明する。
【００１９】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００２０】
図１（ａ）ないし（ｃ）に示されるように、携帯電話機１は、キャビネット２と、ディスプレイ３と、タッチパネル４と、マイクロフォン５と、通話スピーカ６と、外部スピーカ７と、カメラ８と、ＬＥＤビデオライト９ａと、キセノンライト９ｂとを含む。
【００２１】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、液晶ディスプレイであり、液晶パネルと、液晶パネルを照明するＬＥＤバックライトを含む。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２２】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２３】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２４】
キャビネット２の上部には、背面側にカメラ８とＬＥＤビデオライト９ａとキセノンライト９ｂが配されている。カメラ８は、携帯電話機１の背面方向に存在する撮影対象を撮影する。カメラ８は、ＣＣＤ、ＣＭＯＳセンサ等の撮像素子と、撮影対象の像を撮像素子に結像させるレンズとを含む。ＬＥＤビデオライト９ａは、照明用の光源としてＬＥＤを搭載している。ＬＥＤビデオライト９ａは、主に、動画撮影時に、照明光として利用される。キセノンライト９ｂは、フラッシュ用の光源としてキセノンランプを搭載している。キセノンランプは、キセノンガス中での放電により発光し、ＬＥＤよりも省電力かつ高い光量で発光させることができる。
【００２５】
図２は、携帯電話機１の全体構成を示すブロック図である。
【００２６】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９と、発光部２０と、撮影部２１と、加速度検出部２２とを含む。
【００２７】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、電話帳（コンタクツ）、カメラ、ウェブブラウザ、地図、ゲーム、スケジュール管理、等のアプリケーションを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２８】
記憶部１２には、プログラムの実行の際、一時的に利用または生成されるデータを記憶するワーキング領域も含まれる。
【００２９】
記憶部１２は、撮影部２１によって取得された画像データにおける目の領域の輝度値と瞳孔の収縮時間とが対応づけられた輝度値／瞳孔収縮時間変換テーブル１２ａを備える。
【００３０】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９、発光部２０、撮影部２１、加速度検出部２２等）を制御する。
【００３１】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３２】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００３３】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３４】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３５】
音声入力部１５は、マイクロフォン５を含む。音声入力部１５は、マイクロフォン５からの電気信号を音声処理部１７へ出力する。
【００３６】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３８】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００３９】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４０】
発光部２０は、図１（ｂ）に示すＬＥＤビデオライト９ａ、キセノンライト９ｂおよび光源制御回路などを含む。発光部２０は、制御部１１からの制御信号に従ってＬＥＤビデオライト９ａを点灯および消灯させる。発光部２０は、制御部１１からの制御信号に従って、キセノンライト９ｂを点灯および消灯させる。
【００４１】
撮影部２１は、図１（ｂ）に示すカメラ８、撮像制御回路などを含む。撮影部２１は、制御部１１からの制御信号に従って動画または静止画を撮影し、撮影された動画の動画データまたは静止画の静止画データに各種の画像処理およびエンコード処理を施し、処理後の動画データまたは静止画データを制御部１１に出力する。
【００４２】
加速度検出部２２は、３軸加速度センサを含む。３軸加速度センサは、携帯電話機１の前後方向、上下方向および左右方向の３方向に生じる加速度を検出する。加速度検出部２２は、３軸加速度センサが検出した加速度を示す加速度信号を制御部１１に出力する。
【００４３】
図３は、ホーム画面１０１が表示されたディスプレイ３を示す図である。
【００４４】
携帯電話機１では、種々の画面がディスプレイ３に表示され、画面上においてユーザにより種々のタッチ操作がなされる。たとえば、初期画面として、ホーム画面１０１がディスプレイ３に表示される。図３に示すように、ホーム画面１０１は、各種のアプリケーションを起動するための起動用アイコン１０１ａを含む。起動用アイコン１０１ａには、たとえば、電話アイコン１０１ｂ、カメラアイコン１０１ｃ、メールアイコン１０１ｄ等が含まれる。
【００４５】
ディスプレイ３には、ホーム画面１０１の他に、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００４６】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２は、ディスプレイ３に表示され続ける。
【００４７】
さて、ホーム画面１０１において、ユーザが、カメラアイコン１０１ｃに対するタップ操作を行うと、カメラのアプリケーションが起動する。カメラのアプリケーションは、撮影部２１により動画の撮影と静止画の撮影とを行うことができるアプリケーションである。
【００４８】
図４は、比較例に係る、発光部２０の発光状況と撮影対象の人物の状況を示す模式図である。
【００４９】
暗い場所でキセノンライト９ｂによるフラッシュ光を利用して人物の静止画を撮影する場合、人物の瞳孔が開いていると、人物の目が赤く光って撮影されることが起こり得る。この人物の目が赤く光って写る現象を「赤目現象」と称する。赤目現象は、フラッシュ光が被写体の網膜の毛細血管に反射してカメラのレンズに戻ることよって発生する。特に、赤目現象は、暗い場所にいるため人物の瞳孔が開いている場合に発生し易い。
【００５０】
赤目現象の発生を抑えるために、たとえば、比較例では、静止画の撮影前に発光部２０のキセノンライト９ｂが最大光量Ｐｍで発光され、撮影対象の人物に強い光量の光が照射される。これにより、人物の瞳孔の収縮が開始される。このように、赤目現象を軽減させるために、撮影の前に、キセノンライト９ｂを発光させることを「キセノンプリ発光」と称する。
【００５１】
キセノンプリ発光後、一定の撮影タイミングが到来すると、再度、光量Ｐｒでキセノンライト９ｂが発光され、撮影部２１により静止画が撮影される。このように、静止画の撮影をするために、キセノンライト９ｂを発光させることを「キセノン本発光」と称する。
【００５２】
このような撮影方法を用いると、キセノンプリ発光により瞳孔が収縮されるため、赤目現象を軽減することができる。しかしながら、瞳孔が完全に収縮するまでの時間は、目に入射する光量に依存する。すなわち、瞳孔が完全に収縮するまでの時間は、撮影環境の明るさ等によって変動し得る。たとえば、撮影対象の人物が非常に暗い場所にいる場合、瞳孔が大きく開いているため、瞳孔が完全に収縮するまでの時間が長くなる。これに対し、撮影対象の人物がある程度明るい場所にいる場合、瞳孔はさほど大きく開いていないため、瞳孔が完全に収縮するまでの時間が短くなる。このように、撮影環境の明るさに応じて瞳孔の開き具合が変化し、これによって瞳孔が完全に収縮するまでの時間が変化し得るため、比較例のように、キセノンプリ発光後、一定の撮影タイミングで静止画が撮影された場合、瞳孔が十分収縮する前に撮影が行われてしまい、図４に示すように、赤目現象が発生する惧れがある。また、瞳孔は、収縮した後、再び開くため、撮影タイミングが瞳孔の収縮タイミングよりも遅れた場合も、赤目現象が発生する可能性がある。
【００５３】
そこで、本実施の形態では、キセノンプリ発光後のキセノン本発光と撮影のタイミングを調整することにより、赤目現象の発生を抑制することが可能となる赤目現象防止撮影機能が提供される。以下、本実施の形態における赤目現象防止撮影機能について説明する。
【００５４】
図５は、赤目現象防止撮影機能の制御処理を示すフローチャートである。図６は、本実施の形態に係る、発光部２０の発光状況と撮影対象の人物の状況を示す模式図である。図７（ａ）、（ｂ）は、顔認証時に撮影される静止画データを示す模式図である。
【００５５】
図５に示す処理は、たとえば、図３に示すホーム画面において、カメラアイコン１０１ｃに対してタップ操作がなされた場合に実行される。
【００５６】
図５を参照して、制御部１１は、シャッター操作がなされたか否かを監視する（Ｓ１０１）。シャッター操作がなされると（Ｓ１０１：ＹＥＳ）、制御部１１は、ＬＥＤビデオライト９ａを光量Ｐｌで発光させる（Ｓ１０２）。このように、撮影の前に、ＬＥＤビデオライト９ａを発光させることを「ＬＥＤプリ発光」と称する。これにより、図６に示すように、キセノンプリ発光の前に撮影対象の人物にＬＥＤビデオライト９ａにより光が照射される。なお、ＬＥＤビデオライト９ａの光量Ｐｌは、キセノンライト９ｂの最大光量Ｐｍよりも小さい。
【００５７】
ＬＥＤプリ発光の状態で、制御部１１は、目標領域の静止画を取得する（Ｓ１０３）。これにより、図７（ａ）に示すように、人物が写り込んだ静止画が取得される。制御部１１は、取得した静止画から被写体の顔認証の処理を実行する（Ｓ１０４）。なお、顔認証処理として、テンプレートマッチング技法等、既知の画像処理が適宜用いられる。たとえば、図７（ｂ）に示すように、顔認証処理では、顔の領域Ａ１と目の領域Ａ２が抽出される。
【００５８】
制御部１１は、ＬＥＤプリ発光時に取得された状態で取得された静止画において顔認証できたか否かを判定する（Ｓ１０５）。顔認証ができなかった場合（Ｓ１０５：ＮＯ）、目標領域に人物がいなかったとして、赤目現象防止対策のためのキセノンプリ発光の処理を行わずに、処理をＳ１１０に進める。たとえば、人物ではなく、風景を撮影する場合は、赤目現象防止対策にキセノンプリ発光を行う必要がないため、キセノンライト９ｂが無駄に発光されることを防ぐことができる。顔認証ができた場合（Ｓ１０５：ＹＥＳ）、制御部１１は、ＬＥＤプリ発光時に取得された静止画から目の領域Ａ２に含まれる画素の輝度値を取得する（Ｓ１０６）。なお、目の領域Ａ２に含まれる画素の輝度値は、総和値であっても良いし、平均値であっても良い。取得された目の領域Ａ２に含まれる画素の輝度値から、撮影環境の現在の明るさにおいて目に入射する光量を推定できる。取得された輝度値は、ＬＥＤプリ発光の光量による値が加わったものであるため、目に入射する光量は、ＬＥＤプリ発光の光量による値を考慮して推定される。記憶部１２に記憶された輝度値／瞳孔収縮時間変換テーブル１２ａには、推定された光量が入射したときの瞳孔の開き具合からキセノンプリ発光により瞳孔が収縮するときの瞳孔の収縮時間Δｔが、その光量が推定される輝度値に対応づけられて登録される。すなわち、輝度値／瞳孔収縮時間変換テーブル１２ａでは、輝度値から推定される、目に入射する光量と、当該光量が目に入射している場合に、所定の光量でキセノンプリ発光を行ったときの瞳孔の収縮時間Δｔが対応づけられているといえる。瞳孔の収縮時間Δｔは、目の領域Ａ２に含まれる画素の輝度値が小さいほど、即ち、撮影環境が暗く、当初の瞳孔の開き具合が大きいほど、長い時間とされる。
【００５９】
制御部１１は、取得した目の領域Ａ２に含まれる画素の輝度値に対応する瞳孔の収縮時間Δｔを、輝度値／瞳孔収縮時間変換テーブル１２ａから取得する（Ｓ１０７）。制御部１１は、キセノンライト９ｂを最大光量Ｐｍで発光させる（Ｓ１０８）。これにより、図６に示すように、キセノン本発光の前に撮影対象の人物にキセノンライト９ｂにより光が照射され、瞳孔の収縮が開始される。制御部１１は、キセノンプリ発光からの時間がΔｔ経過したか否かを判定する（Ｓ１０９）。キセノンプリ発光からの時間がΔｔ経過していない場合（Ｓ１０９：ＮＯ）、制御部１１は、キセノンプリ発光からの時間がΔｔ経過するまで処理を待機する。キセノンプリ発光からの時間がΔｔ経過すると（Ｓ１０９：ＹＥＳ）、制御部１１は、キセノンライト９ｂを光量Ｐｒで発光させ（Ｓ１１０）、撮影部２１により目標領域を撮影する（Ｓ１１１）。制御部１１は、撮影した被写体の静止画を記憶部１２に記憶する。これにより、図６に示すように、キセノンライト９ｂにより光が照射され、被写体の静止画が撮影される。
ここでは、強い光量を得る手段としてキセノンライトを使用する例を示しているが、光源はキセノンライトに限定されず、実装形態によっては、高輝度ＬＥＤ等の別のデバイスを使用することもできる。
【００６０】
＜実施形態の効果＞
以上、本実施の形態によれば、撮影前に撮影部２１により取得された目標領域の静止画の明るさに応じて、瞳孔の収縮時間Δｔが取得される。これにより、撮影環境の明るさによらず、瞳孔が収縮しきるタイミングでキセノン本発光を行うことができ、被写体の赤目現象の発生を効果的に抑制することができる。
【００６１】
また、本実施の形態によれば、図７（ｂ）に示すように、顔認証により顔の領域Ａ１および目の領域Ａ２が抽出され、目の領域Ａ２に含まれる画素の輝度値に応じて瞳孔の収縮時間Δｔが取得される。瞳孔の収縮時間Δｔは、上述の通り、目に入射する光量に依存するため、上記の構成とすることにより、たとえば、静止画全体の画素の輝度値を取得し当該輝度値に応じて瞳孔の収縮時間Δｔを取得する構成とする場合に比べて、精度良く瞳孔の収縮時間Δｔを取得することができる。
【００６２】
また、本実施の形態によれば、顔認証ができなかった場合は、キセノンプリ発光されないため、キセノンライト９ｂの消費電力を抑えることができ、キセノンライト９ｂの長寿命化を図ることができる。
【００６３】
さらに、本実施の形態によれば、携帯電話機１に搭載されたＬＥＤビデオライト９ａによりＬＥＤプリ発光されるため、被写体の周囲が暗い環境であっても、適正に顔認証をすることができる。
【００６４】
以上、本発明の実施の形態について説明したが、本発明は、上記実施の形態等によって何ら制限されるものではなく、また、本発明の実施の形態も、上記以外に種々の変更が可能である。
【００６５】
＜変更例１＞
キセノンライト９ｂによる発光は、ＬＥＤビデオライト９ａによる発光に比べて、一般的に非常に大きい光量を得ることができる。被写体までの距離が非常に近いにもかかわらず、キセノンライト９ｂを最大光量Ｐｍでキセノンプリ発光させると、被写体の人物は、非常に強い光を受けて、不快であると感じることが起こり得る。上記実施の形態では、キセノンプリ発光の前にＬＥＤビデオライト９ａによる光が被写体に照射されて静止画が取得される。一般的に、ＬＥＤビデオライト９ａの発光量が一定である場合、被写体に反射され撮影部２１に入射する光量は、撮影部２１から被写体までの距離に依存する。撮影部２１から被写体までの距離が遠ければ遠いほど、撮影部２１に入射する光量は小さくなり、撮影部２１から被写体までの距離が近ければ近いほど撮影部２１に入射する光量は大きくなる。すなわち、ＬＥＤビデオライト９ａの発光量が一定である場合、ＬＥＤプリ発光時に取得された静止画の輝度値から被写体までのおおよその距離を推測することができる。そこで、本変更例１では、ＬＥＤプリ発光時に取得された目標領域の静止画から被写体までのおおよその距離を計測し、ＬＥＤプリ発光の光量を調整することが可能となる発光量調整機能が提供される。
【００６６】
図８は、変更例１に係る、携帯電話機１の全体構成を示すブロック図である。
【００６７】
本変更例の記憶部１２は、撮影部２１によって取得された画像データにおける顔の領域の輝度値と被写体までの距離とが対応づけられた輝度値／距離変換テーブル１２ｂをさらに備える。
【００６８】
図９は、変更例１に係る、赤目現象防止撮影機能の制御処理を示すフローチャートである。図１０は、変更例１に係る、発光部２０の発光状況と撮影対象の人物の状況を示す模式図である。
【００６９】
図９の制御処理では、図５の制御処理と対比すると、ステップＳ１０８の処理が削除され、ステップＳ２０１ないしステップＳ２０３の処理が追加されている。ステップＳ２０１ないしステップＳ２０３の処理が発光量調整機能の処理に相当する。
【００７０】
本変更例では、顔認証ができた場合（Ｓ１０５：ＹＥＳ）、制御部１１は、ＬＥＤプリ発光時に取得された静止画から顔の領域Ａ１に含まれる画素の輝度値を取得する（Ｓ２０１）。制御部１１は、取得した顔の領域Ａ１に含まれる画素の輝度値に対応する被写体までの距離Ｄを、記憶部１２に記憶された輝度値／距離変換テーブル１２ｂから取得する（Ｓ２０２）。制御部１１は、上記実施の形態と同様に、目の領域Ａ２の輝度値を取得し（Ｓ１０６）、目の領域Ａ２の輝度値に対応する瞳孔の収縮時間Δｔを取得する（Ｓ１０７）。なお、ここで取得される瞳孔の収縮時間Δｔは、距離Ｄに応じたキセノンプリ発光の発光量の調整が考慮されている。
【００７１】
制御部１１は、キセノンライト９ｂを被写体までの距離Ｄに対応する適正発光量Ｐで発光させる（Ｓ２０３）。これにより図１０に示すように、被写体までの距離Ｄに応じて、適正な光量Ｐでキセノンライト９ｂより光が照射され、瞳孔の収縮が開始される。
【００７２】
その後、上記実施の形態と同様、制御部１１は、瞳孔の収縮するタイミングでキセノン本発光し（Ｓ１１０）、目標領域を撮影する（Ｓ１１１）。
【００７３】
変更例１によれば、上記実施の形態と同様、キセノン本発光と目標領域の撮影タイミングが調整されるため、被写体の赤目現象の発生を効果的に抑制することができる。
【００７４】
また、変更例１によれば、顔の領域Ａ１に含まれる画素の輝度値に応じて被写体までの距離Ｄが取得される。そして、被写体までの距離Ｄに応じて、キセノンプリ発光時の発光量が適正発光量Ｐに調整される。このため、不必要に強い光が被写体に照射されることを防止でき、被写体が感じる不快感を軽減させることができる。また、キセノンライト９ｂの消費電力を抑えることができる。
【００７５】
＜変更例２＞
変更例１では、被写体が感じる不快感を軽減させるために、被写体までの距離Ｄに応じて、キセノンプリ発光量が調整された。上述のように、瞳孔が完全に収縮するまでの時間は、目に入射する光量に依存する。すなわち、瞳孔が完全に収縮するまでの時間は、撮影環境の明るさだけでなく、キセノンプリ発光の光量によっても変動し得る。そこで、本変更例２では、被写体までの距離に応じて、一定の撮影タイミングに瞳孔の収縮が完了する時間が位置付けられるように、キセノンプリ発光の発光量を調整することが可能となる発光量調整機能が提供される。
【００７６】
図１１は、変更例２に係る、赤目現象防止撮影機能の制御処理を示すフローチャートである。
【００７７】
図１１の制御処理では、図９の制御処理と対比すると、ステップＳ１０６、ステップＳ１０７およびステップＳ１０８の処理が削除され、ステップＳ２０１ないしステップＳ２０３の処理が追加されている。ステップＳ２０１ないしステップＳ２０３の処理が発光量調整機能の処理に相当する。
【００７８】
本変更例では、顔認証ができた場合（Ｓ１０５：ＹＥＳ）、上記変更例１と同様に、制御部１１は、顔の領域Ａ１に含まれる画素の輝度値を取得し（Ｓ２０１）、取得した顔の領域Ａ１に含まれる画素の輝度値に対応する被写体までの距離Ｄを取得する（Ｓ２０２）。制御部１１は、キセノンライト９ｂを被写体までの距離Ｄに対応する適正発光量Ｐで発光させる（Ｓ２０３）。上記変更例１では、キセノン本発光までの時間を調整するために瞳孔の収縮時間Δｔが取得されたが、本変更例２では、その処理が省略され、キセノン本発光までの時間に、瞳孔の収縮時間が略一致するように、キセノンプリ発光時の適正発光量Ｐが調整される。適正発光量Ｐでキセノンプリ発光された後、制御部１１は、瞳孔の収縮するタイミングでキセノン本発光し（Ｓ１１０）、目標領域を撮影する（Ｓ１１１）。
【００７９】
変更例２によれば、キセノンプリ発光の発光量を調整することにより、瞳孔の収縮タイミングがキセノン本発光と目標領域の撮影タイミングに調整されるため、被写体の赤目現象の発生を効果的に抑制することができる。
【００８０】
また、変更例２によれば、変更例１と同様に、キセノンプリ発光時の発光量が適正発光量Ｐに調整されるため、不必要に強い光が被写体に照射されることを防ぐことができ、被写体が感じる不快感を軽減させることができる。
【００８１】
＜参考例＞
上記実施の形態および上記変更例１では、ＬＥＤプリ発光時に取得された静止画から顔認証がされ、目の領域Ａ２の輝度値が取得された。顔認証に替えて、静止画の全体に含まれる画素の輝度値から撮影環境の明るさを判断し、瞳孔の収縮時間Δｔが取得される例を以下に示す。
【００８２】
図１２は、本参考例に係る、赤目現象防止撮影機能の制御処理を示すフローチャートである。
【００８３】
図１２の制御処理では、図５の制御処理と対比すると、ステップＳ１０４ないしステップＳ１０８の処理が削除され、ステップＳ３０１、ステップＳ３０２の処理が追加されている。
【００８４】
本参考例では、ＬＥＤプリ発光時時に目標領域の静止画が取得されると（Ｓ１０２、Ｓ１０３）、制御部１１は、静止画全体に含まれる画素の輝度値を取得する（Ｓ３０１）。制御部１１は、取得した画素の輝度値に対応する瞳孔の収縮時間Δｔを取得する（Ｓ３０２）。なお、本変更例では、静止画全体の輝度値に対応する瞳孔の収縮時間Δｔが輝度値／瞳孔収縮時間変換テーブル１２ａに記憶されている。
【００８５】
その後、上記実施の形態と同様、制御部１１は、キセノンプリ発光し（Ｓ１０８）、瞳孔の収縮するタイミングでキセノン本発光させて（Ｓ１０９、Ｓ１１０）、目標領域を撮影する（Ｓ１１１）。
【００８６】
本参考例によれば、上記実施の形態と同様、撮影前に撮影部２１により取得された目標領域の静止画の明るさに応じて、瞳孔の収縮時間Δｔが取得される。これにより、瞳孔が収縮しきるタイミングでキセノン本発光させることができ、被写体の赤目現象の発生を抑制することができる。
【００８７】
＜その他＞
上記変更例１、２では、被写体までの距離Ｄは、顔の領域Ａ１に含まれる輝度値から取得されたが、目の領域Ａ２に含まれる輝度値から取得されても良い。または、被写体の身体全体の領域に含まれる輝度値から取得されても良い。
【００８８】
また、上記実施の形態および変更例１、２では、ＬＥＤプリ発光時に目標領域の静止画が取得されて被写体の顔認証が行われた。これに代えて、ＬＥＤプリ発光の処理が省略され、キセノンプリ発光時に、目標領域の静止画が取得され顔認証が行われても良い。この場合、ＬＥＤプリ発光により、キセノンプリ発光の発光量を調整することはできないものの、キセノンプリ発光により被写体が照らされるため、被写体の周囲が暗い環境であっても、適正に顔認証をすることができる。さらに、撮影環境がある程度明るい場合、ＬＥＤプリ発光されずに取得された静止画により、被写体の顔認証が行われても良い。
【００８９】
また、上記実施の形態および変更例１、２では、キセノンライト９ｂによりキセノンプリ発光、キセノン本発光がなされたが、これらの発光処理は、大容量のＬＥＤライトによりなされても良い。また、ＬＥＤプリ発光時の発光処理が、キセノンライト９ｂによりなされても良い。このほか、発光処理にかかる光源の数、種類、組み合わせは、適宜変更され得る。
【００９０】
さらに、上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【００９１】
さらに、本発明は、携帯電話機に限られず、ＰＤＡ（Personal DigitalAssistant）、タブレットＰＣ（Tablet PC）等、種々のカメラ付きの携帯端末装置に適用可能である。さらに、本発明は、デジタルカメラ、デジタルビデオカメラ、カメラ付きの携帯音楽プレーヤーおよびカメラ付きの携帯ゲーム機にも適用可能である。即ち、本発明は、各種の撮影機能を有する機器に適用可能である。
【００９２】
この他、本発明の実施形態は、特許請求の範囲に示された技術的思想の範囲内において、適宜、種々の変更が可能である。
【符号の説明】
【００９３】
９ａ  ＬＥＤビデオライト
９ｂ  キセノンライト
１１  制御部（撮影制御部）
１２  記憶部
２０  発光部
２１  撮影部
【図１】
0006290726.tif 000002
【図２】
0006290726.tif 000003
【図３】
0006290726.tif 000004
【図４】
0006290726.tif 000005
【図５】
0006290726.tif 000006
【図６】
0006290726.tif 000007
【図７】
0006290726.tif 000008
【図８】
0006290726.tif 000009
【図９】
0006290726.tif 000010
【図１０】
0006290726.tif 000011
【図１１】
0006290726.tif 000012
【図１２】
0006290726.tif 000013